(57)【要約】【課題】  利用者にとっての「あのとし」を特定する方法や装置において、利用者が何度も情報を入力せずに、ダイレクトに特定「年」に紐つけられた楽曲を選択出来るようにしたことを目的とする。【解決手段】  楽曲が年ごと紐付けられた索引データを含む楽曲データベースからカラオケ楽曲を特定する検索方法又は検索装置であって、利用者の現在の年齢、又は出生年の入力を受け付け、利用者が所望する特定の年を指定し、年に紐つけられた楽曲リストを表示させて楽曲を選択できるようにした。【選択図】図１
2014206561.tif 000002
【特許請求の範囲】
【請求項１】
年に紐つけられた索引データを含む楽曲データベースから楽曲を検索する方法であって、
利用者の現在の年齢、又は出生年の入力を受け付け、年と利用者の年齢を対にした年表を表示する第一の工程、
利用者が所望する特定の年の選択を受付け、該当年に紐つけられた楽曲リストを表示する第二の工程からなる楽曲検索方法。
【請求項２】
年に紐つけられた索引データを含む楽曲データベースから楽曲を検索する装置であって、
利用者の現在の年齢、又は出生年の入力を受け付け、年と利用者の年齢を対にした年表を表示する第一の手段、
利用者が所望する特定の年の選択を受付け、該当年に紐つけられた楽曲リストを表示する第二の手段からなる楽曲検索装置。
【請求項３】
年と利用者の年齢からなる年表に加えて、各年における出来事などの情報を付加してなる年表を表示するようにしたことを特徴とする前記請求項１記載の楽曲検索方法。
【請求項４】
年と利用者の年齢からなる年表に加えて、各年における出来事などの情報を付加してなる年表を表示するようにしたことを特徴とする前記請求項２記載の楽曲検索装置。
【発明の詳細な説明】
【技術分野】
【０００１】
本発明は、通信カラオケにおける楽曲をサーバに設置された楽曲データベースから目的の楽曲を選択する技術に関し、特に自分が思い出として残っている「あの年」のカラオケ楽曲検索方法および楽曲検索装置に関する。
【背景技術】
【０００２】
近年、電子的な目次本機能付きカラオケリモコン装置は、機能的には携帯型パソコンに類似した形態のコンピュータ応用機器として製品化されている。そして、カラオケ楽曲データベースに対応するカラオケ楽曲についての属性情報を格納し、楽曲データベースとして管理され、利用者が入力した検索キーワードに基づき楽曲データベースに照会し、該当するカラオケ楽曲についての目次情報や楽曲番号を導き出せるようになっている。そして、希望するカラオケ楽曲が最終的に選曲され、その楽曲の演奏予約コードをカラオケ装置に転送させて演奏が開始されるようになっている。
【０００３】
このようにカラオケリモコン装置は、楽曲データベースに与えられる検索キーワードの属性情報に応じて、曲名やアーティスト名のほか、ジャンル、年代などの各種検索モードを備えている。「年」とは例えば「１９８０年にヒットした曲」など、「年」を必須条件とした検索方式であり、懐メロなど利用者にとっての思い出の曲をリクエストしたい場合には重宝な検索モードとなっている。
【０００４】
音楽愛好者にとって、その年代の想い出の歌の記憶は、自分の年齢とともにある歌を好んで聴いたり歌ったりした時代のさまざまな情景とオーバーラップしているものである。カラオケリモコン装置における従来の年代検索モードでは、電子的な目次本機能付きカラオケリモコン装置における検索条件として「年」を設定する際、人間が過去の出来事を「年」に関連して記憶する際の覚え方を考慮し、極めて感覚的なユーザインタフェースによって設定できる方法を提供するものとして特許文献１に示されるような技術が開示されている。
【先行技術文献】
【特許文献】
【０００５】
【特許文献１】特許第３６４５２１１号公報
【発明の概要】
【発明が解決しようとする課題】
【０００６】
特許文献１は、各「年」情報を含んだ楽曲の検索にあたり、第１〜第３のステップの処理を行って検索する方法又は装置が開示されている。
この特許文献１における第１ステップは、現在年齢または出生年を問う表示をさせて利用者入力を受け付け、第２ステップは、過去の不明年における利用者の年齢または学年を問う表示をさせて利用者入力を受け付け、第３ステップは、第１ステップで入力された現在年齢または出生年と、第２ステップで入力された年齢または学年とに基づいて不明年を特定し、その不明年で年情報を検索して楽曲を抽出するようにしている楽曲の選択方法や選択装置を開示している。
【０００７】
しかしながら、この特許文献１で開示された検索方法や検索装置は、ステップが多く、お酒を飲んだ利用者や疲れた利用者にとっては煩わしいものとなり、あまり利用されていない状況となっている。
【０００８】
本発明は、利用者にとっての「あのとし（年）」を特定し、年に紐付けられた楽曲リストを表示し楽曲を選択する方法や装置において、利用者が何度も情報を入力せずに、ダイレクトに不明年代を特定し、楽曲リストを表示、選択出来るようにすることを目的としている。
【課題を解決するための手段】
【０００９】
上記目的を達成するため本発明の請求項1は、年に紐つけられた索引データを含む楽曲データベースから楽曲を検索する方法であって、
利用者の現在の年齢、又は出生年の入力を受け付け、年と年齢を対にした年表を表示させる第一の工程、
第一の工程によって表示された年表から、利用者から直接所望する特定の年の選択を受付け、年に紐つけられた楽曲リストを表示させる第二の工程に基づいて楽曲を選択できるようにした。
【００１０】
請求項２は、年に紐つけられた索引データを含む楽曲データベースから楽曲を選択する装置であって、
利用者の現在の年齢、又は出生年の入力を受け付け、年と年齢が対になった年表を表示させる第一の表示手段、
第一の表示手段に基づいて、利用者から直接所望する特定の年の選択を受付け、年に紐つけられた楽曲を表示させる第二の表示手段に基づいて楽曲リストから楽曲を選択できるようにした。
【００１１】
さらに請求項３は、前記請求項１における前記第二の工程において、年と利用者の年齢からなる年表に加えて、各年における出来事などの情報を付加して年表を表示させるようにしたものである。
【００１２】
またさらに請求項４は、前記請求項２における前記第二の手段において、年と利用者の年齢からなる年表に加えて、各年における出来事などの情報を付加して年表を表示させるようにしたものである。
【発明の効果】
【００１３】
本発明によると、カラオケ利用者にとっての「あのとし」を検索するにあたって、自分の現在の年齢又は出生年（生年）を入力するだけで、年と利用者の年齢が対になった年表が表示されるので、ダイレクトに所望する特定の年を選択できる。しかも、当該年ごとに起こった出来事などの情報が表示されていれば、さらに明確に所望する特定年が指定できるようになる。
【図面の簡単な説明】
【００１４】
【図１】本発明の一実施例を示す楽曲検索装置の説明図。
【図２】本発明の一実施例を示す楽曲検索装置の説明図。
【図３】本発明の一実施例を示す楽曲検索装置の操作フロー説明図。
【図４】本発明の一実施例を示す楽曲検索装置におけるネットワーク説明図。
【発明を実施するための形態】
【００１５】
以下に本発明の実施例を図に基づいて説明する。
本発明は、カラオケ利用者が自分の年齢とともにその「年」の想い出の楽曲を検索するものであって、またカラオケ楽曲は、年ごとにヒットした曲、その年に話題になった曲、紅白歌合戦で歌われた曲など、各「年」に紐つけられた索引データを含む楽曲データベースから楽曲を選択できるようにした方法または装置を提供するものである。
【００１６】
そこで、楽曲を検索するための「年」を特定するために、利用者の現在の年齢又は出生年の入力を受け付ければ、利用者の年齢が対になった年表が表示されるようにして、利用者から直接所望する特定の年を選択し楽曲リストを表示させる第二の工程に移れるようにしたものである。
【００１７】
本実施例における楽曲検索装置においては、図１に示されるように、表示及び入力タッチパネルを備えた携帯電話や携帯端末に採用した実施例として説明する。
楽曲検索ソフトが、カラオケ楽曲演奏リモコンアプリケーションとして組み込まれるようになっており、楽曲検索ソフトを起動し、「あのとし検索」モードにすると、図１の左図のように、あなたの年齢を問う画面になる。年齢入力は、４の年齢入力部２桁からなる数字を上下にスクロールさせ、中央に数字を合わせ年齢を形成する（図は５９才）。この数字が確定すると３の「次へ」のボタンを押す。すると右図に移り、「年」と「年齢」及びその年の「出来事」が表示された画面になる。
【００１８】
これにより利用者は、「年」選択部５の「年」をタッチすることで「年」を特定できる。特定された「年」に基づいて、例えば。「１９７４年」をタッチすると図２のようにその「年」に紐付けられた楽曲リストが表示されるようになっている。楽曲は上下にスクロールされて多数の楽曲が表示されるようになっている。
【００１９】
特定された「年」の楽曲リストは、タッチパネルの右上にジャンル変更ボタン１０が設けられ、このボタンを押すことで、プルダウン式に各ジャンルが表示され変更することができるようになっている。図２に表示されているジャンルはポップスになっているが、これ以外に例えば「演歌」「洋楽」「童謡」「アニメ」などがデータベースに蓄積されていて、ジャンルを切り替えて特定された「年」に紐付けされた楽曲が表示されるようになっている。
【００２０】
図１のあのとし検索モードにおいて、前述の説明では、利用者の年齢で入力されたが、右上の入力変更ボタン６をタッチすると、「あなたの生年は？」という表示に変わり、西暦や和暦で生年を入力できるようになっている。
【００２１】
また、図１の右図の年表における「出来事」の右側に出来事表示モード変更ボタン７をタッチすると出来事のジャンルも変更できるようになっている。前述の説明では、「トピック」になっていたが、「芸能」、「スポーツ」、「政治」、「ファッション」あるいは、あらかじめ入力された自分の出来事などからなる「自分史」など、利用者の興味のあるジャンルを選択できるようになっている。
【００２２】
すなわち図３に示されるように、カラオケ利用者は、カラオケ楽曲における検索装置１において、ステップ５１で「あのとし検索」モードにした場合、利用者の年齢（又は生年）を入力するだけで（ステップ５２）、瞬時に「年」と「利用者の年齢」が対になった年表が表示されるので、次のステップ５３で特定の「年」を容易に選択できる。しかも年表として年表をスクロールして表示できるので広範囲にわたって社会の出来事と自分の思い出を蘇らせることができる。実施例においては、出来事も各種ジャンルを指定できるので、詳細に思い出をたどることができる。
【００２３】
ステップ５３で特定の「年」を選択した結果、その年に紐付けられた楽曲リストが表示されているので、ステップ５４では、その中から目的の楽曲を選択することができ、ステップ５５で楽曲予約データをカラオケ装置２０に転送することができる。
【００２４】
尚、楽曲データベースは、図４に示されるようにサーバ３０に蓄積されており、随時アクセスして、検索しても良い。その際、携帯端末１は、ダイレクトに（図中破線で示される）サーバ３０にアクセスするか、カラオケ装置２０と携帯端末１のペアリングを行った際に接続が確立したカラオケ装置２０と同一のネットワークを経由してサーバ３０にアクセスすることもできる。
【００２５】
また、楽曲データベースは、サーバ３０から、楽曲データを携帯端末１にダウンロードして、携帯端末１内で検索するようにしても良いものである。携帯端末１は楽曲データベースのダウンロードにあたってサーバ３０から直接（図中破線で示される）ダウンロードしてもよく、また、ペアリングしているカラオケ装置２０を経由して行ってもよい。
【符号の説明】
【００２６】
１…検索装置（携帯端末）
２…表示・入力面
４…年齢（生年）入力部
５…「年」選択部
６…入力モード変換ボタン
７…表示モード変換ボタン
９…ホームボタン
１０…ジャンル変換ボタン
２０…カラオケ装置
３０…サーバ
【図１】
2014206561.tif 000003
【図２】
2014206561.tif 000004
【図３】
2014206561.tif 000005
【図４】
2014206561.tif 000006